(57)【要約】【課題】チャフシーブの上方に、ガスシリンダ支点及びリターンパンを配置するもの選別装置において、両者を適正位置に配置し、四番口への吹上げによる屑溜りや、四番口からチャフシーブへの稈のささりを防止すると共に、リターンパンとチャフシーブとの間に十分な隙間を確保し、選別風の流れを円滑にする。【解決手段】扱室２で脱穀された被選別物を篩い落すチャフシーブ９と、該チャフシーブ９の上方を覆うリターンパン１０とが設けられる揺動選別体２５を備えると共に、前記扱室２の上方を開閉自在なカバー体１９で覆い、さらに、このカバー体１９をガスシリンダ２１で支持する選別装置１において、前記ガスシリンダ２１の下側支点を、チャフシーブ９の上方に設けると共に、前記リターンパン１０を、正面視及び側面視でガスシリンダ２１とオーバーラップするように配置する。【選択図】　　　　図３
2004113118.tif 000002
【特許請求の範囲】
【請求項１】
扱室で脱穀された被選別物を篩い落すチャフシーブと、該チャフシーブの上方を覆うリターンパンとが設けられる揺動選別体を備えると共に、前記扱室の上方を開閉自在なカバー体で覆い、さらに、このカバー体をガスシリンダで支持する選別装置において、前記ガスシリンダの支点を、チャフシーブの上方に設けると共に、前記リターンパンを、正面視及び側面視でガスシリンダとオーバーラップするように配置したことを特徴とする選別装置。
【請求項２】
請求項１において、前記リターンパンに、ガスシリンダとの接触を避けるための切欠き部を形成したことを特徴とする選別装置。
【請求項３】
請求項１又は２において、前記リターンパンの側方に、被選別物を単粒化処理する処理胴を設けると共に、該処理胴が単粒化した被選別物を、受網を介してリターンパン側へ漏下させるにあたり、前記リターンパンの処理胴側端部に、被選別物の溜りを防止する傾斜面を形成したことを特徴とする選別装置。
【発明の詳細な説明】
【０００１】
【発明の属する技術分野】
本発明は、コンバインや脱穀機に設けられる選別装置の技術分野に属するものである。
【０００２】
【従来の技術】
扱室や選別室の清掃、整備などを容易にするために、扱室の上方を覆うカバー体を開閉自在に構成した選別装置が知られている（例えば、特許文献１参照。）。一般に、この種の選別装置では、選別室内部とカバー体との間にガスシリンダを介設し、その付勢力によって、カバー体の開閉操作荷重を軽減したり、カバー体を開放位置に保持するようになっている。
【０００３】
【特許文献１】
特開２００１−２８６２１７号公報（第９図）
【０００４】
【発明が解決しようとする課題】
ところで、上記ガスシリンダの支点位置は、その付勢力を効率の良く利用できる位置に設定されるが、ガスシリンダの適正支点位置が揺動選別体のチャフシーブ上方である場合には、チャフシーブの上方を覆うように設けられるリターンパンとの位置関係が問題になる。
つまり、リターンパンは、四番口への屑の吹上げや、四番口からチャフシーブへの稈のささりを防止するために設けられるものであるため、ガスシリンダを避けてリターンパンの位置を後方へずらすと、上記吹上げによる屑溜りや、チャフシーブへの稈のささりが生じるおそれがあり、また、リターンパンの位置を下方へずらすと、リターンパンとチャフシーブとの隙間が小さくなるため、選別風の流れが阻害され、選別精度の低下を招く可能性がある。
【０００５】
【課題を解決するための手段】
本発明は、上記の如き実情に鑑みこれらの課題を解決することを目的として創作されたものであって、扱室で脱穀された被選別物を篩い落すチャフシーブと、該チャフシーブの上方を覆うリターンパンとが設けられる揺動選別体を備えると共に、前記扱室の上方を開閉自在なカバー体で覆い、さらに、このカバー体をガスシリンダで支持する選別装置において、前記ガスシリンダの支点を、チャフシーブの上方に設けると共に、前記リターンパンを、正面視及び側面視でガスシリンダとオーバーラップするように配置したことを特徴とする。つまり、チャフシーブの上方に、ガスシリンダ支点及びリターンパンを配置するものでありながら、正面視及び側面視でガスシリンダとリターンパンとをオーバーラップさせることにより、両者を適正位置に配置することが可能になる。その結果、四番口への吹上げによる屑溜りや、四番口からチャフシーブへの稈のささりを防止できる許りでなく、リターンパンとチャフシーブとの間に十分な隙間を確保し、選別風の流れを円滑にすることができる。
また、前記リターンパンに、ガスシリンダとの接触を避けるための切欠き部を形成したことを特徴とする。この場合においては、リターンパンを、ガスシリンダと接触することなく、適正位置に配置することができる。
また、前記リターンパンの側方に、被選別物を単粒化処理する処理胴を設けると共に、該処理胴が単粒化した被選別物を、受網を介してリターンパン側へ漏下させるにあたり、前記リターンパンの処理胴側端部に、被選別物の溜りを防止する傾斜面を形成したことを特徴とする。この場合においては、処理胴からの被選別物がリターンパン上に溜まる不都合を解消することができる。
【０００６】
【発明の実施の形態】
次に、本発明の実施の形態の一つを図面に基づいて説明する。図面において、１はコンバインに搭載される選別装置であって、該選別装置１は、茎稈を扱室２に沿って挟持搬送する脱穀フィードチェン３と、搬送茎稈から被選別物（混合物を含む穀粒）を脱穀する扱胴４と、脱穀された被選別物を漏下する受網５と、該受網５から漏下せずに扱室終端まで達した被選別物を単粒化処理する処理胴６と、該処理胴６が単粒化した被選別物を漏下する第二受網７と、前記受網５から漏下した被選別物を順次揺動搬送する揺動流板８と、該揺動流板８の終端部で被選別物を篩い落すチャフシーブ９と、該チャフシーブ９の上方を覆うように設けられるリターンパン１０と、前記チャフシーブ９から漏下した被選別物を更に篩い落すグレインシーブ１１と、該グレインシーブ１１から漏下した被選別物を一番選別風で精選する送風ファン１２と、精選された穀粒を横搬送する一番ラセン１３と、前記チャフシーブ９やグレインシーブ１１から漏下しなかった被選別物や第二受網７から漏下した被選別物を篩い落すストロラック１４と、該ストロラック１４等から漏下した被選別物を二番選別風で風選別する二番選別ファン１５と、風選別された二番物を横搬送する二番ラセン１６と、前記ストロラック１４の終端位置で藁屑等を機外に排出する排塵ファン（三番口）１７と、脱穀処理済みの排藁を四番口１８を介して機外に排出搬送する排藁チェン（図示せず）とを備えて構成される。
【０００７】
前記扱室２の上方は、開閉自在なカバー体１９によって覆われている。カバー体１９は、扱室２の上方を覆う上カバー１９ａと、扱室２の前方上半部を覆う前カバー１９ｂと、扱室２の後方上半部を覆う後カバー１９ｃとを備えて構成され、その右端部が支軸２０によって上下回動自在に支持されている。また、本実施形態のカバー体１９は、前カバー１９ｂと後カバー１９ｃとの間で扱胴４を支持している。そのため、カバー体１９を上方に開放操作すると、扱胴４も一緒に上昇し、扱室２が大きく開放される。
【０００８】
カバー体１９と選別装置内部（選別室）との間には、内部のガスで伸長方向に付勢されるガスシリンダ２１が介設されており、その付勢力によって、カバー体１９の開閉操作荷重が軽減されると共に、カバー体１９が開放位置に保持される。ガスシリンダ２１の上端部は、カバー体１９の後カバー１９ｃから後方に突出するピン２２で支持される一方、ガスシリンダ２１の下端部は、扱室フレーム２３の後端面から後方に突出するピン２４で支持される。このとき、ガスシリンダ２１の下側支点位置（ピン２４の位置）は、ガスシリンダ２１の付勢力を効率良く利用できる位置に設定される。本発明の選別装置１では、その配置構成により、チャフシーブ９の上方位置がガスシリンダ２１の適正下側支点位置となる。
【０００９】
処理胴６は、扱胴４の終端から被選別物を引き継ぐように、選別装置１の後側右端部に前後方向を向いて配置される。そして、処理胴６が単粒化した被選別物は、第二受網７を介して、チャフシーブ９上、リターンパン１０上又はストロラック１４上に漏下される。
【００１０】
揺動流板８、チャフシーブ９、リターンパン１０、グレインシーブ１１及びストロラック１４は、一体的な揺動アッセンブリである揺動選別体２５を構成しており、図示しないクランク機構又はカム機構を用いて所定の周期で連続的に往復揺動される。チャフシーブ９は、前後方向に所定間隔を存して並列する複数のフィン９ａを有し、これらフィン９ａ同士の隙間から被選別物を篩い落すように構成される。また、グレインシーブ１１は、所定の目合いを有する金網部材であり、その隙間から被選別物を篩い落すように構成される。
【００１１】
リターンパン１０は、四番口１８への屑の吹上げや、四番口１８からチャフシーブ９への稈のささりを防止するために設けられる。本実施形態のリターンパン１０は、前後方向に所定間隔を存して並列する複数のフィン１０ａと、該フィン１０ａの左右両端部を支持する左右一対の側板１０ｂとを備えて構成される。リターンパン１０の適正位置は、上記吹上げによる屑溜りや、チャフシーブ９への稈のささりを防止でき、しかも、チャフシーブ９との間に、選別風の流れを阻害しない適正な間隔を確保することを条件に設定される。本発明の選別装置１では、その配置構成から、リターンパン１０の適正位置と、ガスシリンダ２１の適正下側支点位置とが略同位置となり、その位置関係が問題となるが、本発明では、この問題を以下に示す構成によって解決している。
【００１２】
即ち、ガスシリンダ２１の下側支点を、リターンパン１０が設けられるチャフシーブ９の上方位置に設けるにあたり、リターンパン１０を、正面視及び側面視でガスシリンダ２１とオーバーラップするように配置している。これにより、チャフシーブ９の上方に、ガスシリンダ２１の下側支点及びリターンパン１０を配置するものでありながら、両者を適正位置に配置することが可能になる。
【００１３】
また、リターンパン１０の前端部には、ガスシリンダ２１との接触を避けるための切欠き部１０ｃが形成される。これにより、リターンパン１０を、ガスシリンダ２１と接触することなく、適正位置に配置することが可能になる。
【００１４】
また、リターンパン１０の右端部には、側板１０ｂによって右下がり状の傾斜面１０ｄが形成される。この傾斜面１０ｄは、リターンパン１０の右側方に配置される処理胴６から第二受網７を介して漏下される被選別物を落下案内することにより、処理胴６からの被選別物がリターンパン１０の右端部上に溜まることを防止している。
【００１５】
叙述の如く構成されたものにおいて、扱室２で脱穀された被選別物を篩い落すチャフシーブ９と、該チャフシーブ９の上方を覆うリターンパン１０とが設けられる揺動選別体２５を備えると共に、前記扱室２の上方を開閉自在なカバー体１９で覆い、さらに、このカバー体１９をガスシリンダ２１で支持するにあたり、前記ガスシリンダ２１の下側支点を、チャフシーブ９の上方に設けると共に、前記リターンパン１０を、正面視及び側面視でガスシリンダ２１とオーバーラップするように配置したため、チャフシーブ９の上方に、ガスシリンダ２１の下側支点及びリターンパン１０を配置するものでありながら、両者を適正位置に配置することが可能になる。その結果、四番口１８への吹上げによる屑溜りや、四番口１８からチャフシーブ９への稈のささりを防止できる許りでなく、リターンパン１０とチャフシーブ９との間に十分な隙間を確保し、選別風の流れを円滑にすることができる。
【００１６】
また、リターンパン１０に、ガスシリンダ２１との接触を避けるための切欠き部１０ｃを形成したため、リターンパン１０を、ガスシリンダ２１と接触することなく、適正位置に配置することができる。
【００１７】
また、リターンパンの側方に、被選別物を単粒化処理する処理胴６を設けると共に、該処理胴６が単粒化した被選別物を、第二受網７を介してリターンパン１０側へ漏下させるにあたり、リターンパン１０の処理胴側端部に、被選別物の溜りを防止する傾斜面１０ｄを形成したため、処理胴６からの被選別物がリターンパン１０上に溜まる不都合を解消することができる。
【図面の簡単な説明】
【図１】選別装置の内部側面図である。
【図２】同上内部平面図である。
【図３】同上内部背面図である。
【符号の説明】
１　　　選別装置
２　　　扱室
６　　　処理胴
７　　　第二受網
９　　　チャフシーブ
１０　　リターンパン
１０ａ　フィン
１０ｂ　側板
１０ｃ　切欠き部
１０ｄ　傾斜面
１８　　四番口
１９　　カバー体
２０　　支軸
２１　　ガスシリンダ
２２　　ピン
２３　　扱室フレーム
２４　　ピン
２５　　揺動選別体
【図１】
2004113118.tif 000003
【図２】
2004113118.tif 000004
【図３】
2004113118.tif 000005